(57)【要約】【課題】公共交通機関の車内に設置されたつり革において、前記つり革に電気的に書き換え可能とされ、各種のデータを記憶、保持するメモリーと、電気的に書き換え可能な画像表示装置と、中央演算処理装置と、データ通信手段と、電源と、電力受給手段を有し、前記つり革の持ち手部分に掛かった荷重によって前記画像表示装置に表示された表示物を操作できることを特徴とするつり革型情報表示装置を提供する。【解決手段】利用者はつり革の持ち手につかまった状態で表示された情報から好みのものを選択でき、利用者一人一人のニーズにあったコンテンツおよび広告情報の提供が可能となるつり革型情報表示装置を提供する。【選択図】図１
2010052572.tif 000002
【特許請求の範囲】
【請求項１】
公共交通機関の車内に設置されたつり革において、前記つり革に電気的に書き換え可能とされ、各種のデータを記憶、保持するメモリーと、電気的に書き換え可能な画像表示装置と、中央演算処理装置と、データ通信手段と、電源と、電力受給手段を有し、前記つり革の持ち手部分に掛かった荷重によって前記画像表示装置に表示された表示物を操作できることを特徴とするつり革型情報表示装置。
【請求項２】
前記画像表示装置が、画像情報を保持するための電力を必要としないマイクロカプセル型電気泳動表示装置である、請求項１に記載のつり革型情報表示装置。
【請求項３】
前記メモリーが、記憶されているデータを保持するための電力を必要としないフラッシュメモリである、請求項１または２に記載のつり革型情報表示装置。
【請求項４】
請求項１から３何れかに記載のつり革型情報表示装置において、つり革の持ち手部分に掛かった荷重の有無で入り切りする手段を備えたものであるつり革型情報表示装置。
【発明の詳細な説明】
【技術分野】
【０００１】
本発明は、公共交通機関の車両内に設置されたつり革への画像表示装置に関するもので、特に表示画像を操作できる装置に関する。
【背景技術】
【０００２】
公共交通機関の車両内に掲示された広告等の表示形態には、広告情報を紙などに印刷し、通路上に吊るしたり、扉横や網棚の上の壁面に張り付けたもの、また、広告物をシールや商品を模した立体物に加工したものをつり革の持ち手以外の部分に取り付けたものが見られる。
【０００３】
一般的にこれらの広告は印刷物であり表示できる情報量は紙などの掲示物の大きさに依存する。そのため情報量を増やすには、文字や画像などの表示を小さくし一つの掲示物に情報を詰め込む方法と一つの広告を複数の掲示物に分ける方法がある。
【０００４】
前者の場合は広告内容が読みにくくなり広告効果が低下してしまうデメリットがあり、後者の場合は掲示スペースが多く必要となってしまい、車内の空きスペースを利用しての広告では掲示場所に限界が生じる。
【０００５】
近年、より多くの広告を表示する方法として、ドア上部や壁面に設置した液晶ディスプレイなどに広告情報を表示する形態が普及している。ここでは列車の運行状況や天気、ニュースといった所謂コンテンツ情報と広告情報を同時にまたは交互に表示させて、乗客の目を引き広告効果を高めている。
【０００６】
しかし、これらの広告表示方法では表示機と利用者の関係は１対多数となっており、表示されるコンテンツの内容や広告を利用者全てのニーズに合わせることは困難であり、広告効果を高めるには限界がある。
【０００７】
これに対し、利用者一人一人に対して鉄道等の公共交通機関の利用者向けのコンテンツと広告を配信する方法として、携帯電話などの移動体情報端末への情報配信方法が提案されている。
【０００８】
下記に本発明に関連する先行技術文献を記載する。
【特許文献１】特開２００３−２４２４０６
【発明の開示】
【発明が解決しようとする課題】
【０００９】
しかしながら、前記した従来の方法では、携帯電話などの移動体情報端末の利用によって利用者一人一人に対してコンテンツや広告情報の提供が可能であるが、例えば手提げ荷物を持った状態でつり革につかまって乗車しているなど、両手がふさがった場合には利用できない。
【００１０】
そこで本発明は、つり革に映像表示装置を付加することで利用者一人一人に情報を提供し、利用者が持ち手部分を操作することによって表示情報の選択ができるようにすることを目的とするものである。
【課題を解決するための手段】
【００１１】
上記の問題を解決するために、本発明のつり革型情報表示装置は、少なくとも一つの電
源装置と中央演算装置と情報記憶装置と画像表示装置を有し、つり革の持ち手部分に掛かった荷重により入り切りするスイッチにより映像表示装置に表示された表示内容を操作できることを特徴とする。
【００１２】
この特徴によれば、利用者はつり革の持ち手につかまった状態で表示された情報から好みのものを選択でき、利用者一人一人のニーズにあったコンテンツおよび広告情報の提供が可能となる。
【００１３】
具体的には、請求項１の発明によれば、公共交通機関の車内に設置されたつり革において、前記つり革に電気的に書き換え可能とされ、各種のデータを記憶、保持するメモリーと、電気的に書き換え可能な画像表示装置と、中央演算処理装置と、データ通信手段と、電源と、電力受給手段を有し、前記つり革の持ち手部分に掛かった荷重によって前記画像表示装置に表示された表示物を操作できることを特徴とするつり革型情報表示装置を提供するものである。
【００１４】
請求項２の発明によれば、前記画像表示装置が、画像情報を保持するための電力を必要としないマイクロカプセル型電気泳動表示装置である、請求項１に記載のつり革型情報表示装置を提供するものである。
【００１５】
請求項３の発明によれば、前記メモリーが、記憶されているデータを保持するための電力を必要としないフラッシュメモリである、請求項１または２に記載のつり革型情報表示装置を提供するものである。
【００１６】
請求項４の発明によれば、請求項１から３何れかに記載のつり革型情報表示装置において、つり革の持ち手部分に掛かった荷重の有無で入り切りする手段を備えたものであるつり革型情報表示装置を提供するものである。
【発明の効果】
【００１７】
本発明によれば、公共交通機関の車内での広告等掲示方法において、つり革持ち手部分の操作によって画面に表示された情報を選択できる装置を利用することで、つり革につかまった状態で乗車している利用者一人一人に対して、それぞれが欲するコンテンツや広告情報を提供することができ広告効果を高めることが可能となる。
【発明を実施するための最良の形態】
【００１８】
図１は、本発明のつり革型情報表示装置１００の正面図である。
【００１９】
つり革型情報表示装置１００はマイクロカプセル型電気泳動表示装置１０２が表示面を外側に向けて設置してある筐体１０１と吊り紐Ａ１０３と吊り紐Ｂ１０４と持ち手１０５より構成さている。吊り紐Ａ１０３は車両内部の天井などと筐体１０１を接続し、吊り紐Ｂ１０４は筐体１０１と持ち手１０５を接続している。
【００２０】
図２は、本発明のつり革型情報表示装置１００の側断面図である。
【００２１】
筐体１０１には本体基板２０１とスイッチ機構６１４が内蔵されている。
【００２２】
本体基板２０１の片面にはマイクロカプセル型電気泳動表示装置１０２が取り付けてあり、これとは反対の面には通信装置２０２とメモリー２０３とＣＰＵ２０４と蓄電池２０５と充電コネクタ２０６が実装されており、それぞれは導線により接続されている。
【００２３】
スイッチ機構６１４は前記本体基板２０１の背面に設置してあり、スイッチ機構６１４
の上端に設置の吊り紐固定具Ａ６００は吊り紐Ａ１０３と接続され、スイッチ機構６１４の下端に設置の吊り紐固定具Ｂ６１３は吊り紐Ｂ１０４と接続されている。
【００２４】
図３は前記、マイクロカプセル型電気泳動表示装置１０２の実施形態の一例を模式的に示す側断面図である。
【００２５】
図３に示すマイクロカプセル型電気泳動表示装置１０２は、表面に透明電極膜３０２（ＩＴＯ膜など）が形成されているガラスや高分子樹脂フィルム、例えばポリエチレンテレフタレート、アクリル、ポリカーボネート、ポリプロピレンなどの透明な基板３０１の透明電極膜３０２の面に、スクリーン印刷、スピンコート、ディップコートなどの各種コーティング方法により電子インク３０４を印刷し、マイクロカプセル表示層３０６を形成する。次いで、マイクロカプセル表示層３０６の面に導電性接着剤層３０５が形成してある。
【００２６】
マイクロカプセル型電気泳動表示装置１０２において、マイクロカプセル表示層３０６に含まれるマイクロカプセルは、例えば、図４に示すように、メタクリル酸樹脂、ユリア樹脂、アラビアゴム等をカプセル殻４０１とし、その内部に酸化チタンからなる白の粒子４０３とカーボンブラックからなる黒の粒子４０４が、シリコーンオイル等の透明で粘度の高い分散媒４０２に分散された状態で封入されているものである。
【００２７】
白の粒子４０３である酸化チタンは正電荷を帯びており、一方、黒の粒子４０４であるカーボンブラックは負電荷を帯びている。これらの特長により、図５に示すように画素電極３０７と透明電極膜３０２の間に印加された電圧によって、これらの電極間にあるマイクロカプセル内の白の粒子４０３または黒の粒子４０４が、透明電極膜３０２側または画素電極基板３０７側に電気泳動し、白または黒の画像を表示することが可能となる。
【００２８】
また、これらの粒子の周りは粘性の高い分散媒４０２で満たされているので、電圧の印加を止めても粒子はその位置に留まり、画像を保持することが可能である。
【００２９】
表示できる画像の解像度はマイクロカプセルの大きさにはよらず画素電極基板３０７の各電極の大きさによる。そのため、文字や絵や写真など様々な画像を表示することができる。
【００３０】
図６は前記、スイッチ機構６１４の実施形態の一例を模式的に示す正面図である。
【００３１】
固定板Ａ６０６には吊り紐固定具支持体６０５によって吊り紐固定具Ａ６００が取り付けられており、固定板Ａ６０６と吊り紐Ａ１０３は吊り紐固定具Ａ６００を介して接続されている。さらに、固定板Ａ６０６には固定シャフト６１１によって固定板Ｂ６０７が接続されている。この固定板Ｂ６０７には可動シャフト通し穴６１６が開けてある。
【００３２】
可動板Ａ６０８には固定シャフト通し穴６１５が開けてあり、固定板Ａ６０６と固定板Ｂ６０７の間を固定シャフト６１１の軸方向（図では上下方向）に可動できるように可動板Ａ６０８が取り付けてある。この可動板Ａ６０８には可動シャフト６１２によって可動板Ｂ６０９が接続されている。この可動板Ｂ６０９には吊り紐固定具支持体６０５によって吊り紐固定具Ｂ６１３が取り付けられており、可動板Ｂ６０９と吊り紐Ｂ１０４は吊り紐固定具Ｂ６１３を介して接続されている。
【００３３】
可動板Ａ６０８と固定板Ｂ６０７の間にはスプリング６１０が可動シャフト６１２に巻き付けた状態で取り付けてある。固定板Ｂ６０７にはボタンを押している間だけ回路が閉じるスイッチ６０４が設置してあり、可動板Ａ６０８にはこのスイッチ６０４とボタン６
０３に対面する位置にボタン押し体６０２が設置してある。
【００３４】
持ち手１０５に荷重が掛かっていない状態ではスプリング６１０の復元力によって可動板Ａ６０８は上方向に持ち上げられている。このときボタン押し体６０２はボタン６０３から離れておりスイッチ６０４の回路は開いている（ＯＦＦ状態）。一方、持ち手１０５にスプリング６１０の復元力以上の荷重を掛けた場合には、可動板Ａ６０８が引き下げられてボタン押し体６０２がボタン６０３を押してスイッチ６０４の回路が閉じる（ＯＮ状態）。
【００３５】
図７は前記スイッチ機構６１４において、ＯＦＦ状態とＯＮ状態を示した正面図である。
【００３６】
図８はつり革型情報表示装置の本体基板２０１に導線を介して接続された動作制御用の各装置の接続関係を示すブロック図である。
【００３７】
蓄電池２０５より供給される電力は本体基板２０１の導線によって各装置へと伝えられる。蓄電池２０５には外部電源より充電するための充電用端子２０６が接続されている。また、中央演算処理装置（ＣＰＵ２０４）にはメモリー２０３と通信装置２０２とボタン６０３と連動してＯＮ・ＯＦＦするスイッチ６０４と画像表示用ドライバＩＣ２０８と画面となるマイクロカプセル型電気泳動表示装置１０５が接続されており、ＣＰＵ２０４の指示によってメモリー２０３に記憶されているコンテンツや広告などの画像情報を画面に表示することができるようになっている。また、メモリーに記憶されているコンテンツや広告などの情報は通信装置２０２によって更新できるようになっている。
【００３８】
図９は表示される画像の一例を示したものである。画像の表示モードは３種あり、「待ち受けモード」では画面には予め設定した時間ごとに広告情報が入れ替えて表示される。「コンテンツ選択モード」では画面にコンテンツタイトルが複数行に分けて表示され、現在のコンテンツの選択状況を示すカーソルが表示されている。「コンテンツ表示モード」では利用者が選択したコンテンツ情報と広告情報を交互に表示する。
【００３９】
これらのモードの切り替えはＣＰＵ２０４によって指示される。ＣＰＵ２０４はボタン６０３と連動してＯＮ・ＯＦＦするスイッチ６０４の状態によって判断するようにプログラムされた動作アルゴリズムによって指示を決定する。
【００４０】
図１０は動作アルゴリズムを示したフローチャートである。待ち受けモードではスイッチがＯＦＦまたはｔ1秒未満のＯＮの場合には待ち受けモードを維持する。スイッチがｔ１秒以上ＯＮの状態が続いた場合コンテンツ選択モードに切り替わる。
【００４１】
コンテンツ選択モードでは図９に示したように画面にはコンテンツタイトルが複数行に分けて表示してあり、スイッチがｔ1秒未満ＯＮの場合にはコンテンツの選択状況を示すカーソルが移動し次のコンテンツタイトルが選択された状態になる。利用者は複数回この操作を繰り返し好みのコンテンツタイトルにカーソルを移動する。
【００４２】
カーソルが好みのコンテンツタイトルを示している状態でスイッチをｔ1秒以上ＯＮにすると、そのコンテンツに決定され画面がコンテンツ表示モードに切り替わる。
【００４３】
一方、ｔ2秒以上ＯＦＦ状態が続いた場合には利用者がつり革から離れたと判断し画面を待ち受けモードに戻す。
【００４４】
コンテンツ表示モードではスイッチがＯＮ状態の場合にはコンテンツ画面と広告画面を
順繰りに表示しコンテンツが最終ページとなったら待ち受けモードに切り替わる。
【００４５】
ここでも他のモードのときと同様にｔ2秒以上ＯＦＦ状態が続いた場合には利用者がつり革から離れたと判断し画面を待ち受けモードに戻す。
【００４６】
以上のアルゴリズムによって、利用者はつり革の持ち手に荷重をかけた状態（ＯＮ）と荷重をかけない状態（ＯＦＦ）を作ることでコンテンツを選び、決定し、閲覧することができる。
【図面の簡単な説明】
【００４７】
【図１】本発明のつり革型情報表示装置の一例を示す正面図。
【図２】本発明のつり革型情報表示装置の一例を示す側断面図。
【図３】マイクロカプセル型電気泳動表示装置の一例を示す側断面図。
【図４】マイクロカプセルを説明する側断面図。
【図５】マイクロカプセル表示層の表示形態の一例を模式的に表す斜視図。
【図６】スイッチ機構の一例を示す正面図。
【図７】スイッチ機構のＯＦＦ状態とＯＮ状態を示す正面図。
【図８】動作制御用の各装置の接続関係を示すブロック図。
【図９】画面に表示される情報の一例。
【図１０】動作アルゴリズムを示したフローチャート。
【符号の説明】
【００４８】
１００・・・つり革型情報表示機
１０１・・・筐体
１０２・・・マイクロカプセル型電気泳動表示装置
１０３・・・吊り紐Ａ
１０４・・・吊り紐Ｂ
１０５・・・持ち手
２００・・・表面保護板
２０１・・・本体基板
２０２・・・通信装置
２０３・・・メモリー
２０４・・・ＣＰＵ
２０５・・・蓄電池
２０６・・・充電用端子
２０７・・・導線
２０８・・・画像表示ドライバＩＣ
３０１・・・透明な基板
３０２・・・透明電極膜
３０３・・・バインダ樹脂
３０４・・・電子インク
３０５・・・導電性接着剤層
３０６・・・マイクロカプセル表示層
３０７・・・画素電極基板
４０１・・・カプセル殻
４０２・・・分散媒
４０３・・・白の粒子
４０４・・・黒の粒子
６００・・・吊り紐固定具Ａ
６０１・・・シャフト固定ボルト
６０２・・・ボタン押し体
６０３・・・ボタン
６０４・・・スイッチ
６０５・・・吊り紐固定具支持体
６０６・・・固定板Ａ
６０７・・・固定板Ｂ
６０８・・・可動板Ａ
６０９・・・可動板Ｂ
６１０・・・スプリング
６１１・・・固定シャフト
６１２・・・可動シャフト
６１３・・・吊り紐固定具Ｂ
６１４・・・スイッチ機構
６１５・・・固定シャフト通し穴
６１６・・・可動シャフト通し穴
【図１】
2010052572.tif 000003
【図２】
2010052572.tif 000004
【図３】
2010052572.tif 000005
【図４】
2010052572.tif 000006
【図５】
2010052572.tif 000007
【図６】
2010052572.tif 000008
【図７】
2010052572.tif 000009
【図８】
2010052572.tif 000010
【図９】
2010052572.tif 000011
【図１０】
2010052572.tif 000012